(57)【要約】      （修正有）【課題】マッサージをする際に手などの力を必用とせずに、仰向けに寝た状態でリラックスして後頭部をマッサージすることができる後頭部用マッサージ器を提供する。【解決手段】正面側の側面中央は湾曲状に凹んだ湾曲部を形成するとともに背面側は平坦部を形成し、底面には滑り止め材を備えた指圧体と、前記指圧体を載置し、上面端部に円柱状の止め部材を設けた載置板とからなることを特徴とする。仰向けになり後頭部をマッサージ器上に乗せ頭を前後左右に動かしてもマッサージ器がずれる心配がなく、常に設置した時の一定の間隔を維持することができるため仰向けに寝た状態のままマッサージしたい後頭部の場所を頭を動かすだけで簡単に変えることができる。【選択図】図１
0003148851.tif 000002
【実用新案登録請求の範囲】
【請求項１】
正面側の側面中央は湾曲状に凹んだ湾曲部を形成するとともに背面側は平坦部を形成し、底面には滑り止め材を備えた指圧体と、前記指圧体を載置し上面端部に円柱状の止め部材を設けた載置板と、からなることを特徴とする後頭部用マッサージ器。
【請求項２】
前記指圧体の頂点から背面にかけた傾斜角度が急で、前記指圧体の頂点から正面にかけた傾斜角度が緩やかで弧状に形成されたことを特徴とする請求項１に記載の後頭部用マッサージ器。
【請求項３】
前記指圧体の頂点から背面にかけた傾斜角度が緩やかで弧状に、前記指圧体の頂点から正面にかけた傾斜角度が急に形成されたことを特徴とする請求項１に記載の後頭部用マッサージ器。
【請求項４】
平坦な底面に滑り止め材を備えるとともに半球状の上半分に滑り止め材を施した２つの指圧球体と、前記指圧球体を載置し上面端部に円柱状の止め部材を設けた載置板と、からなることを特徴とする後頭部用マッサージ器。
【請求項５】
上面から底面にかけて末広がりに側面が形成された略おむすび型で底面に滑り止め材を備えるとともに上半分に滑り止め材を施した２つの指圧体と、前記指圧体を載置し上面端部に円柱状の止め部材を設けた載置板と、からなることを特徴とする後頭部用マッサージ器。
【請求項６】
前記指圧体の上面の中心と底面の中心とがずれていることを特徴とする請求項５に記載の後頭部用マッサージ器。
【請求項７】
前記２つの指圧体が、左右対称で、且つ同じ傾きの傾斜面を対面させて載置板に置かれたことを特徴とする請求項６に記載の後頭部用マッサージ器。
【請求項８】
前記載置板及び前記止め部材が、滑り止め材で覆われていることを特徴とする請求項１〜請求項７の何れか１項に記載の後頭部用マッサージ器。
【請求項９】
前記指圧体又は指圧球体を覆うタオルを備えたことを特徴とする請求項１〜請求項８の何れか１項に記載の後頭部用マッサージ器。
【考案の詳細な説明】
【技術分野】
【０００１】
本考案は、後頭部を刺激しマッサージするマッサージ器に関する考案である。
【背景技術】
【０００２】
従来、後頭部などの頭部を刺激しマッサージするためのマッサージ具は、特許文献１に記載のように、マッサージ具を手に持ち、刺激を与えたい部位にマッサージ具を押し当てるものであった。
【０００３】
しかしながら、従来のマッサージ具では手を使ってマッサージ器を使用するため、常に肩から手にかけて力が入ってしまい、マッサージをした部位のコリをほぐすことはできても、肩こりの原因になっていた。
【特許文献１】特開２００１−１６１７７２号公報
【考案の開示】
【考案が解決しようとする課題】
【０００４】
そこで、本考案は、マッサージをする際に手などの力を必用とせずに、仰向けに寝た状態でリラックスして後頭部をマッサージすることができる後頭部用マッサージ器を提供することを目的とするものである。
【課題を解決するための手段】
【０００５】
本考案は、上記の課題を解決するために、正面側の側面中央は湾曲状に凹んだ湾曲部２ｃを形成するとともに背面側は平坦部２ｄを形成し、底面には滑り止め材を備えた指圧体２と、前記指圧体２を載置し上面端部に円柱状の止め部材３ｂを設けた載置板３と、からなることを特徴とする後頭部用マッサージ器１の構成とし、さらに前記指圧体２の頂点から背面にかけた傾斜角度が急で、前記指圧体２の頂点から正面にかけた傾斜角度が緩やかで弧状に形成されたことを特徴とする前記後頭部用マッサージ器１の構成とした。
【０００６】
また、前記指圧体２の頂点から背面にかけた傾斜角度が緩やかで弧状に、前記指圧体２の頂点から正面にかけた傾斜角度が急に形成されたことを特徴とする後頭部用マッサージ器１ａの構成とした。
【０００７】
さらに、平坦な底面に滑り止め材４ａを備えるとともに半球状の上半分に滑り止め材４ｂ、４ｂを施した２つの指圧球体４、４と、前記指圧球体４、４を載置し上面端部に円柱状の止め部材３ｂを設けた載置板３と、からなることを特徴とする後頭部用マッサージ器１ｂの構成とした。
【０００８】
加えて、上面から底面にかけて末広がりに側面が形成された略おむすび型で底面に滑り止め材５ａ（６ａ）を備えるとともに上半分に滑り止め材５ｂ（６ｂ）を施した２つの指圧体５、５（６、６）と、前記指圧体を載置し上面端部に円柱状の止め部材３ｂを設けた載置板３と、からなることを特徴とする後頭部用マッサージ器の構成とした。また、前記指圧体５（６）の上面の中心と底面の中心とがずれていることを特徴とする前記後頭部用マッサージ器１ｃ（１ｄ）の構成とした。さらに、前記２つの指圧体５、５（６、６）が、左右対称で、且つ同じ傾きの傾斜面を対面させて載置板３に置かれたことを特徴とする前記後頭部用マッサージ器の構成とした。
【０００９】
前記載置板３及び前記止め部材３ｂが、滑り止め材３ｃ、３ｄで覆われていることを特徴とする前記何れかに記載の後頭部用マッサージ器の構成とした。
【００１０】
前記指圧体又は指圧球体を覆うタオル８を備えたことを特徴とする前記何れかに記載の後頭部用マッサージ器の構成とした。
【考案の効果】
【００１１】
本考案の後頭部用マッサージ器は滑り止め材機能がついているため、手などで支えておく必用がなく仰向けに寝た状態という最もリラックスした状態で後頭部をマッサージすることができる。
【００１２】
また、仰向けになり後頭部をマッサージ器上に乗せ頭を前後左右に動かしてもマッサージ器がずれる心配がなく、常に設置した時の一定の間隔を維持することができるため仰向けに寝た状態のままマッサージしたい後頭部の場所を頭を動かすだけで簡単に変えることができる。
【考案を実施するための最良の形態】
【００１３】
マッサージ器がずれないように手などで支える必用がなく、常に体全体がリラックスした状態で後頭部をマッサージできるという目的を、滑り止め材機能を付けることによって実現した。
【実施例１】
【００１４】
図１は本考案である後頭部用マッサージ器の第１実施例の正面図、図２は後頭部用マッサージ器の第１実施例の平面図、図３は後頭部用マッサージ器の第１実施例の左側面図、図４は後頭部用マッサージ器の第１実施例の背面図である。
【００１５】
図１から図４に示すように、本考案である後頭部用マッサージ器１は、正面側中央が湾曲状に凹んだ湾曲部２ｃを形成し背面は平坦部２ｄを形成して底面に滑り止め材を備えた指圧体２と、前記指圧体２を載置するための平板３ａと平板３ａの上面に取り付けられた円柱状の止め部材３ｂからなる載置板３とからなる。
【００１６】
前記指圧体２の左右端部２ａ、２ｂは平面より見ると湾曲部２ｃが凹んでいるため正面側に湾曲して突出した形状をしている。また、図３に示すように、側面より見た場合指圧体２の頂点から背面の平坦部２ｄにかけての傾斜はきつく、指圧体２の頂点２ｆから正面の湾曲部２ｃ及び左右端部２ａ、２ｂの正面にかけての傾斜は緩やかになっている。
【００１７】
前記載置板３を形成する平板３ａは滑り止め材３ｃにより覆われており、また止め部材３ｂも滑り止め材３ｄにより覆われている。この滑り止め材３ｃは平板３ａの底面側だけに取り付けても良く、特に周囲全体に取り付けることに限定してはいない。
【００１８】
指圧体２を載置板３上に載置した際、前記左右端部２ａ、２ｂの先端部は止め部材３ｂに接触した状態が最も好ましい。後頭部用マッサージ器１を使用するには正面側から体を倒し後頭部を指圧体２上に置き頭頂部は指圧体２の背面側になるように使用するが、この状態で使用することで前後に頭が動いても指圧体２の底面に取り付けた滑り止め材２ｅと平板３ａに取り付けた滑り止め材３ｃが互いのズレを制御し、止め部材３ｂの滑り止め材３ｄが指圧体２の左右端部２ａ、２ｂの先端を制御するため指圧体２の平坦部２ｄ側若しくは湾曲部２ｃ側が載置板３より浮くことがない。
【００１９】
また、逆に後頭部用マッサージ器１の背面側から体を倒し後頭部指圧体２上に置き頭頂部を指圧体２の正面側になるように使用しても滑り止め材効果は変わらず安定したマッサージを行うことができる。
【実施例２】
【００２０】
図５は本考案である後頭部用マッサージ器の第２実施例の平面図、図６は後頭部用マッサージ器の第２実施例の左側面図である。図５及び図６に示すように、本考案である後頭部用マッサージ器１ａは、前記後頭部用マッサージ器１とほぼ同様の形状をしている。
【００２１】
即ち、本考案である後頭部用マッサージ器１ａは、正面側中央が湾曲状に凹んだ湾曲部２ｃを形成し背面は平坦部２ｄとなった底面に滑り止め材を備えた指圧体２と、前記指圧体２を載置するための平板３ａと平板３ａの上面に取り付けられた円柱状の止め部材３ｂからなる載置板３とからなる。
【００２２】
前記指圧体２の左右端部２ａ、２ｂは平面より見ると湾曲部２ｃよりも正面側に湾曲して突出している。また、図６に示すように、側面より見た場合指圧体２の頂点から背面の平坦部２ｄにかけての傾斜はゆるく、指圧体２の頂点から正面の湾曲部２ｃ及び略半球体状に形成されているとともに中心部である平坦部２ｄと湾曲部２ｃから徐々に膨張する左右端部２ａ、２ｂの正面にかけての傾斜はきつくなっている。後頭部用マッサージ器１ａと後頭部用マッサージ器1の違いは、指圧体２の頂点２ｆから平坦部２ｄ及び湾曲部２ｃにかけての傾斜が反対であるところである。
【実施例３】
【００２３】
図７は本考案である後頭部用マッサージ器の第３実施例の正面図、図８は後頭部用マッサージ器の第３実施例の平面図、図９は後頭部用マッサージ器の第３実施例の左側面図、図１０は後頭部用マッサージ器の第３実施例の背面図である。
【００２４】
図７から図１０に示すように、本考案である後頭部用マッサージ器１ｂは、底面に滑り止め材４ａを備えた２つの指圧球体４、４と、指圧球体４、４を載置するための平板３ａと平板３ａの上面に取り付けられた円柱状の止め部材３ｂからなる載置板３とからなる。前記指圧球体４の上半分の表面には直接滑り止め材４ｂが施されている。
【００２５】
前記載置板３を形成する平板３ａは滑り止め材３ｃにより覆われており、また止め部材３ｂも滑り止め材３ｄにより覆われている。この滑り止め材３ｃは平板３ａの底面側だけに取り付けても良く、特に周囲全体に取り付けることに限定してはいない。
【００２６】
指圧球体４、４を載置板３上に載置した際、図９に示すように指圧球体４、４の正面側が止め部材３ｂに接触した状態が最も好ましく、２つの指圧球体４、４に跨るようにタオルを被せる。後頭部用マッサージ器１ｂを使用するには正面側から体を倒し後頭部を指圧球体４、４間に置き頭頂部は指圧球体４、４の背面側になるように使用するが、この状態で使用することで前後に頭が動いても指圧球体４、４の底面に取り付けた滑り止め材４ａと平板３ａに取り付けた滑り止め材３ｃが互いのズレを制御し、更に止め部材３ｂの滑り止め材３ｄが指圧球体４、４の接触面を制御するため指圧球体４、４の底面が載置板３より浮くことがない。
【００２７】
また、指圧球体４、４を覆うタオルは、指圧球体４、４の上半分の表面に施された滑り止め材４ｂによりずれることはなく、指圧球体４、４間に掛けられたタオルの中央に後頭部を乗せた状態であってもずれることはない。これにより指圧球体４、４上に乗せた頭を自由に動かして指圧ポイントを変えることができる。
【実施例４】
【００２８】
図１１は本考案である後頭部用マッサージ器の第４実施例の正面図、図１２は後頭部用マッサージ器の第４実施例の平面図、図１３は後頭部用マッサージ器の第４実施例の左側面図、図１４は後頭部用マッサージ器の第４実施例の背面図、図１５は後頭部用マッサージ器の第４実施例の各使用状態を示した左側面である。
【００２９】
図１１から図１５に示すように、本考案である後頭部用マッサージ器１ｃは上面から底面にかけて末広がりに形成された略おむすび型で底面に滑り止め材５ａを備えた２つの指圧体５、５と、前記指圧体５、５を載置するための平板３ａと平板３ａの上面に取り付けられた円柱状の止め部材３ｂからなる載置板３とからなる。前記指圧体５の上半分の表面には直接滑り止め材５ｂが施されている。
【００３０】
図１１及び図１２に示すように、２つの指圧体５、５は左右対称の形状をしている。即ち、指圧体５は４つの傾斜面を持ち各面をＡからＤ及びＥからＨとした。図１２に示すように、２つの指圧体５、５は、対称であるため面Ａには面Ｅ、面Ｂには面Ｆ、面Ｃには面Ｇ、面Ｄには面Ｈ対応し、頂点５ｃからは同じ傾斜角となっている。
【００３１】
図１５に示すように、側面より見た場合、指圧体５の頂点５ｃからの各傾斜面は面Ａ（Ｅ）が最も緩やかで、次ぎ、頂点５ｃからの面Ｂ（Ｆ）→面Ｃ（Ｇ）→面Ｄ（Ｈ）の順番で傾斜面の角度かきつくなっている。
【００３２】
指圧体５、５を載置板３上に載置した際、図１２に示すように指圧体５、５の正面側が止め部材３ｂに接触した状態が最も好ましく、２つの指圧体５、５にまたがるようにタオルを被せる。後頭部用マッサージ器１ｃを使用するには正面側から体を倒し後頭部を指圧体５、５間に置き頭頂部は指圧体５、５の背面側になるように使用するが、この状態で使用することで前後に頭が動いても指圧体５、５の底面に取り付けた滑り止め材５ａと平板３ａに取り付けた滑り止め材３ｃが互いのズレを制御し、更に止め部材３ｂの滑り止め材３ｄが指圧体５、５の接触面を制御するため指圧体５、５の底面が載置板３より浮くことがない。
【００３３】
指圧体５、５は、通常同じ傾斜面同士が正面になるように使用することが望ましい。即ち、正面側が面Ａ、Ｅの場合と、面Ｂ、Ｆの場合と、面Ｃ、Ｇの場合と、面Ｄ、Ｈの場合があり、更に指圧体５、５の位置を左右入れ替えて、面Ｅ、Ａの場合と、面Ｆ、Ｂの場合と、面Ｇ、Ｃの場合と、面Ｈ、Ｄとすることで８通りの後頭部用マッサージ器とすることができる。
【００３４】
また、対応する傾斜面を変えて使用することもできるため、全部で３０通り以上の指圧体の組み合わせをすることができ、さまざまな人の後頭部マッサージに対応することができる。
【００３５】
また、指圧体５、５を覆うタオルは、指圧体５、５の上半分の表面に施された滑り止め材５ｂによりずれることはなく、指圧体５、５間に掛けられたタオルの中央に後頭部を乗せた状態であってもずれることはない。これにより指圧体５、５上に乗せた頭を自由に動かして指圧ポイントを変えることができる。
【実施例５】
【００３６】
図１６は本考案である後頭部用マッサージ器の第５実施例の正面図、図１７は後頭部用マッサージ器の第５実施例の平面図、図１８は後頭部用マッサージ器の第５実施例の左側面図、図１９は本考案である後頭部用マッサージ器の第５実施例の背面図である。
【００３７】
図１６から図１９示すように、本考案である後頭部用マッサージ器１ｄは上面から底面にかけて末広がりに形成された略おむすび型で底面に滑り止め材６ａを備えた２つの指圧体６、６と、前記指圧体６、６を載置するための平板３ａと平板３ａの上面に取り付けられた円柱状の止め部材３ｂからなる載置板３とからなる。前記指圧体６の上半分の表面には直接滑り止め材６ｂが施されている。
【００３８】
前記２つの指圧体６、６は左右対称の形状をしている。即ち、指圧体６は４つの傾斜面を持ち各面をＩからＬ及びＭからＰとした。図１７に示すように、２つの指圧体６、６は対称であるため面Ｉには面Ｍ、面Ｊには面Ｐ、面Ｋには面Ｏ、面Ｌには面Ｎ対応し、同じ傾斜角となっている。
【００３９】
図１７に示すように、指圧体６の各傾斜面は面Ｉ（Ｍ）が最も緩やかで次ぎに面Ｊ（Ｐ）→面Ｋ（Ｏ）→面Ｌ（Ｎ）の順番で傾斜面の角度かきつくなっている。また、前実施例４の指圧体５とほぼ同じ形状をしているが、指圧体６の頂点６ｃの幅の方が、指圧体５の頂点の幅よりも狭い。
【００４０】
指圧体６、６を載置板３上に載置した際、図１７に示すように指圧体６、６の正面側が止め部材３ｂに接触した状態が最も好ましく、２つの指圧体６、６にまたがるようにタオルを被せる。後頭部用マッサージ器１ｄを使用するには正面側から体を倒し後頭部を指圧体６、６間に置き頭頂部は指圧体６、６の背面側になるように使用するが、この状態で使用することで前後に頭が動いても指圧体６、６の底面に取り付けた滑り止め材６ａと平板３ａに取り付けた滑り止め材３ｃが互いのズレを制御し、更に止め部材３ｂの滑り止め材３ｄが指圧体６、６の接触面を制御するため指圧体６、６の底面が載置板３より浮くことがない。
【００４１】
指圧体６、６は、通常同じ傾斜面同士が正面になるように使用することが望ましい。即ち、正面側が面Ｉ、Ｍの場合と、面Ｊ、Ｐの場合と、面Ｋ、Ｏの場合と、面Ｌ、Ｎの場合があり、更に指圧体６、６の位置を左右入れ替えて、面Ｍ、Ｉの場合と、面Ｐ、Ｊの場合と、面Ｏ、Ｋの場合と、面Ｎ、Ｌとすることで８通りの後頭部用マッサージ器とすることができる。
【００４２】
また、対応する傾斜面を変えて使用することもできるため、全部で３０通り以上の指圧体の組み合わせをすることができ、さまざまな人の後頭部マッサージに対応することができる。
【００４３】
また、指圧体６、６を覆うタオルは、指圧体６、６の上半分の表面に施された滑り止め材６ｂによりずれることはなく、指圧体６、６間に掛けられたタオルの中央に後頭部を乗せた状態であってもずれることはない。これにより指圧体６、６上に乗せた頭を自由に動かして指圧ポイントを変えることができる。
【００４４】
図２０は本考案である後頭部用マッサージ器の第１実施例を使用した状態を示した図、図２１は本考案である後頭部用マッサージ器の第３実施例を使用した状態を示した図、図２２は本考案である後頭部用マッサージ器の第５実施例を使用した状態を示した図である。
【００４５】
図２０に示すように、指圧体２を載置板３上に設置し後頭部用マッサージ器１の正面側に体を置き、頭頂部が後頭部用マッサージ器１の背面側にくるように使用する。頭頂部を更に背面側にずらし顎を持ち上げるようにした場合、指圧体２の正面側は載置板３から浮いてしまうように思われるが、止め部材３ｂと滑り止め材３ｃにより浮くことはない。
【００４６】
頭頂部を上げ、顎を下げるようにした場合、指圧体２の背面側は載置板３より浮いてしまうように思われるが、この場合も止め部材３ｂと滑り止め材３ｃの抵抗により浮くことはなく、従って後頭部がどのような状態で指圧体２に当たっていても指圧体２は載置板３から動くことはなく、安心してマッサージをすることができる。
【００４７】
図２１に示すように、指圧球体４、４を載置板３上に設置し指圧球体４、４同士をタオル８で被せ後頭部用マッサージ器１ｂの正面側に体を置き、頭頂部が後頭部用マッサージ器１ｂの背面側にくるように使用する。頭頂部を更に背面側にずらし顎を持ち上げるようにした場合、指圧球体４、４は載置板３から浮いてしまうように思われるが、止め部材３ｂと滑り止め材３ｃにより浮くことはない。
【００４８】
また、指圧球体４、４に被せられたタオル８は頭を乗せたことにより、指圧球体４、４上を滑り、頭部７が指圧球体４、４間に落ちてしまうように思われるが、指圧球体４、４の上半分の表面には滑り止め材４ｂが施してあるためタオル８は滑ることがなく、安心して頭部７を乗せマッサージをすることができる。
【００４９】
図２２に示すように、後頭部用マッサージ器１ｄでは、２つの指圧体６、６の配置を変えることができるため、色々な人の後頭部にあわせることができる。図２２では、特に代表的な配置を４つ示したが、設置方法を変えることで３０通り以上の配置が可能であり、また、指圧体６、６同士の幅を変える等のアレンジを加えれば、更に多くの配置が可能となる。即ち、どんな人の後頭部にも合わせることができるマッサージ器である。
【００５０】
尚、図示はしていないが、後頭部用マッサージ器１ｃの使用方法は図２２の後頭部用マッサージ器１ｄと同じである。即ち、指圧体５、５の配置を好きなように変えることができるため、どんな人の後頭部にも合わせることができる。
【図面の簡単な説明】
【００５１】
【図１】本考案である後頭部用マッサージ器の第１実施例の正面図である。
【図２】本考案である後頭部用マッサージ器の第１実施例の平面図である。
【図３】本考案である後頭部用マッサージ器の第１実施例の左側面図である。
【図４】本考案である後頭部用マッサージ器の第１実施例の背面図である。
【図５】本考案である後頭部用マッサージ器の第２実施例の平面図である。
【図６】本考案である後頭部用マッサージ器の第２実施例の左側面図である。
【図７】本考案である後頭部用マッサージ器の第３実施例の正面図である。
【図８】本考案である後頭部用マッサージ器の第３実施例の平面図である。
【図９】本考案である後頭部用マッサージ器の第３実施例の左側面図である。
【図１０】本考案である後頭部用マッサージ器の第３実施例の背面図である。
【図１１】本考案である後頭部用マッサージ器の第４実施例の正面図である。
【図１２】本考案である後頭部用マッサージ器の第４実施例の平面図である。
【図１３】本考案である後頭部用マッサージ器の第４実施例の左側面図である。
【図１４】本考案である後頭部用マッサージ器の第４実施例の背面図である。
【図１５】本考案である後頭部用マッサージ器の第４実施例の各使用状態を示した左側面である。
【図１６】本考案である後頭部用マッサージ器の第５実施例の正面図である。
【図１７】本考案である後頭部用マッサージ器の第５実施例の平面図である。
【図１８】本考案である後頭部用マッサージ器の第５実施例の左側面図である。
【図１９】本考案である後頭部用マッサージ器の第５実施例の背面図である。
【図２０】本考案である後頭部用マッサージ器の第１実施例を使用した状態を示した図である。
【図２１】本考案である後頭部用マッサージ器の第３実施例を使用した状態を示した図である。
【図２２】本考案である後頭部用マッサージ器の第５実施例を使用した状態を示した図である。
【符号の説明】
【００５２】
１      後頭部用マッサージ器
１ａ    後頭部用マッサージ器
１ｂ    後頭部用マッサージ器
１ｃ    後頭部用マッサージ器
１ｄ    後頭部用マッサージ器
２      指圧体
２ａ    左端部
２ｂ    右端部
２ｃ    湾曲部
２ｄ    平坦部
２ｅ    滑り止め材
２ｆ    頂点
３      載置板
３ａ    平板
３ｂ    止め部材
３ｃ    滑り止め材
３ｄ    滑り止め材
４      指圧球体
４ａ    滑り止め材
４ｂ    滑り止め材
５      指圧体
５ａ    滑り止め材
５ｂ    滑り止め材
５ｃ    頂点
６      指圧体
６ａ    滑り止め材
６ｂ    滑り止め材
６ｃ    頂点
７      頭部
８      タオル
Ａ〜Ｐ  面
【図１】
0003148851.tif 000003
【図２】
0003148851.tif 000004
【図３】
0003148851.tif 000005
【図４】
0003148851.tif 000006
【図５】
0003148851.tif 000007
【図６】
0003148851.tif 000008
【図７】
0003148851.tif 000009
【図８】
0003148851.tif 000010
【図９】
0003148851.tif 000011
【図１０】
0003148851.tif 000012
【図１１】
0003148851.tif 000013
【図１２】
0003148851.tif 000014
【図１３】
0003148851.tif 000015
【図１４】
0003148851.tif 000016
【図１５】
0003148851.tif 000017
【図１６】
0003148851.tif 000018
【図１７】
0003148851.tif 000019
【図１８】
0003148851.tif 000020
【図１９】
0003148851.tif 000021
【図２０】
0003148851.tif 000022
【図２１】
0003148851.tif 000023
【図２２】
0003148851.tif 000024